(57)【特許請求の範囲】
【請求項１】
上枠と下枠及び左右の縦枠を方形状に枠組みしてなる枠体内にパネル体を納め、前記枠体は、前記パネル体を納める金属製の室外枠部材と、前記枠体の室内側面を構成する金属製の室内枠部材とを、樹脂製のブリッジ材で連結してなるサッシにおいて、
前記室外枠部材は、内周面の室外端部に見付方向内側に向かって伸びるように形成される室外保持部と、内周面の室内外中間位置に見付方向内側に向かって伸びるように形成される室内保持部とを有し、該室内保持部と室外保持部により前記パネル体の周縁部が保持され、
前記室内枠部材は前記室内保持部と対向する室内面部を備え、該室内面部と室内保持部及び前記ブリッジ材による連結部分を含む枠体の内周面とで凹部を形成し、該凹部には前記室内面部から室内保持部に渡るように断面中空状の樹脂ブロック材が設けられることを特徴とするサッシ。
【請求項２】
前記室内面部と室内保持部は、見付方向内側端部位置が略同じとされ、前記樹脂ブロック材は前記室内面部と室内保持部の見付方向内側端部を繋ぐ平面状の内周部を有してなることを特徴とする請求項１記載のサッシ。
【請求項３】
前記樹脂ブロック材の内周部は前記枠体の室内側に配置される額縁材の内周面と略面一状となることを特徴とする請求項２記載のサッシ。
【請求項４】
前記室内面部には見付方向内側端部から室内側に伸びるアングル部が設けられ、該アングル部と前記樹脂ブロック材の内周部及び前記額縁材の内周面が略面一状とされることを特徴とする請求項３記載のサッシ。
【発明の詳細な説明】
【技術分野】
【０００１】
本発明は、建物開口部に設置されるサッシに関し、特に金属製の室外枠部材と室内枠部材とを樹脂製のブリッジ材で連結してなるサッシに関する。
【背景技術】
【０００２】
従来、建物開口部に設けられるサッシの断熱性を高めるため、金属製の室外枠部材と室内枠部材とを、樹脂製のブリッジ材で連結することが知られている。金属製の部材を樹脂製のブリッジ材で室内外に連結することにより、室外側に露出する室外枠部材と室内側に露出する室内枠部材とを熱的に絶縁することができ、断熱性を高くすることができる。このようなブリッジ構造により断熱性を高くしたサッシとしては、例えば特許文献１に挙げるようなものがある。
【先行技術文献】
【特許文献】
【０００３】
【特許文献１】特開２００９−２９３３００号公報
【発明の概要】
【発明が解決しようとする課題】
【０００４】
ブリッジ構造を有するサッシにおいて、ブリッジ材を枠体の室内外どの位置に配置するかは、枠体の強度や断熱性に影響する。枠体内にパネル体を納めてなる嵌め殺しサッシにおいては、枠体の内周面にパネル体の周縁部を挟持する室内外の保持部が形成されるので、室内外の保持部を一方の枠部材に形成した方が、枠体の強度を大きくすることができる。断熱性確保のためには、ブリッジ材はパネル体よりも室内側に配置される必要があるので、保持部は室外枠部材に形成されることとなる。
【０００５】
この場合、ブリッジ材が室内側寄りに配置されるので、ブリッジ材が室内側に露出し、サッシの意匠性を損ねるという問題があった。また、室外側に露出する室外枠部材が、室外側寄りまで配設されるので、枠体の断熱性も低下しやすいという問題があった。
【０００６】
本発明は前記課題を鑑みてなされたものであり、パネル体を嵌め殺し状とした場合において、パネル体の固定強度を確保しつつブリッジ材を露出させずに意匠性を向上させ、また断熱性も向上させることのできるサッシを提供することを目的とする。
【課題を解決するための手段】
【０００７】
前記課題を解決するため、本発明に係るサッシは、上枠と下枠及び左右の縦枠を方形状に枠組みしてなる枠体内にパネル体を納め、前記枠体は、前記パネル体を納める金属製の室外枠部材と、前記枠体の室内側面を構成する金属製の室内枠部材とを、樹脂製のブリッジ材で連結してなるサッシにおいて、
前記室外枠部材は、内周面の室外端部に見付方向内側に向かって伸びるように形成される室外保持部と、内周面の室内外中間位置に見付方向内側に向かって伸びるように形成される室内保持部とを有し、該室内保持部と室外保持部により前記パネル体の周縁部が保持され、
前記室内枠部材は前記室内保持部と対向する室内面部を備え、該室内面部と室内保持部及び前記ブリッジ材による連結部分を含む枠体の内周面とで凹部を形成し、該凹部には前記室内面部から室内保持部に渡るように断面中空状の樹脂ブロック材が設けられることを特徴として構成されている。
【０００８】
また、本発明に係るサッシは、前記室内面部と室内保持部は、見付方向内側端部位置が略同じとされ、前記樹脂ブロック材は前記室内面部と室内保持部の見付方向内側端部を繋ぐ平面状の内周部を有してなることを特徴として構成されている。
【０００９】
さらに、本発明に係るサッシは、前記樹脂ブロック材の内周部は前記枠体の室内側に配置される額縁材の内周面と略面一状となることを特徴として構成されている。
【００１０】
さらにまた、本発明に係るサッシは、前記室内面部には見付方向内側端部から室内側に伸びるアングル部が設けられ、該アングル部と前記樹脂ブロック材の内周部及び前記額縁材の内周面が略面一状とされることを特徴として構成されている。
【発明の効果】
【００１１】
本発明に係るサッシによれば、室内枠部材の室内面部と室内保持部及びブリッジ材による連結部分を含む枠体の内周面とで凹部を形成し、凹部には室内面部から室内保持部に渡るように樹脂ブロック材が設けられることにより、パネル体を室外枠部材のみで保持して、固定強度を十分に確保しつつ、ブリッジ材を室内側に露出させずに意匠性を向上させ、また室外枠部材と室内枠部材間の室内側に露出する部分を樹脂材で繋ぐので、断熱性も向上させることができる。
【００１２】
また、本発明に係るサッシによれば、室内面部と室内保持部は、見付方向内側端部位置が略同じとされ、樹脂ブロック材は前記室内面部と室内保持部の見付方向内側端部を繋ぐ平面状の内周部を有してなることにより、パネル体の室内面側から室内面部までの内周面を面一状に構成でき、意匠性の更なる向上を図ることができる。
【００１３】
さらに、本発明に係るサッシによれば、樹脂ブロック材の内周部は枠体の室内側に配置される額縁材の内周面と略面一状となることにより、パネル体の室内面側から額縁材に渡って内周面を略面一状とでき、意匠性の更なる向上を図ることができる。
【００１４】
さらにまた、本発明に係るサッシによれば、室内面部には見付方向内側端部から室内側に伸びるアングル部が設けられ、アングル部と樹脂ブロック材の内周部及び額縁材の内周面が略面一状とされることにより、パネル体の室内面側からアングル部及び額縁材に渡って、内周面を略面一状とでき、意匠性の更なる向上を図ることができる。
【図面の簡単な説明】
【００１５】
【図１】本実施形態におけるサッシの縦断面図である。
【図２】本実施形態におけるサッシの横断面図である。
【発明を実施するための形態】
【００１６】
本発明の実施形態について図面に沿って詳細に説明する。図１には本実施形態におけるサッシの縦断面図を、図２には本実施形態におけるサッシの横断面図を、それぞれ示している。これら各図に示すように、本実施形態のサッシは、方形状に枠組みしてなる枠体１内にガラス体からなるパネル体２を納めてなる嵌め殺しサッシである。
【００１７】
枠体１は、上枠１０と下枠１１及び左右の縦枠１２、１２からなり、これらの部材で上下左右の辺を構成している。また、枠体１を構成する上枠１０と下枠１１及び縦枠１２は、それぞれいずれも金属製の室内枠部材２１と室外枠部材２０とを、樹脂製のブリッジ材２２で連結して構成されている。これにより、室外側に露出する室外枠部材２０と室内側に露出する室内枠部材２１との間を断熱し、サッシの断熱性能を高くすることができる。
【００１８】
枠体１は、パネル体２と対向する内周面に、室外保持部１６と室内保持部１７を備え、これらによってパネル体２の周縁部を四周に渡って室内外から挟持し、保持する。室外保持部１６と室内保持部１７は、枠体１を構成する室外枠部材２０に形成されており、室外枠部材２０はパネル体２が保持される位置より室内側で、室内枠部材２１とブリッジ材２２を介して連結される。
【００１９】
室内枠部材２１は、枠体１において室内面部２４となる面を有している。室内面部２４は、見付方向内側端部位置が、室外枠部材２０の室外保持部１６や室内保持部１７の見付方向内周端部位置と略同じ位置となるように形成されている。
【００２０】
室内枠部材２１の室内面部２４には、見付方向内側端部から室内側に向かって伸びるアングル部２５が固定される。アングル部２５は、枠体１の室内側に四周に渡って設けられる額縁材３の表面に当接しネジ止め固定される。アングル部２５の室内側に延出される面及び額縁材３の内周面は、室内面部２４や室外保持部１６及び室内保持部１７の見付方向内側端部と略同位置に配置されることとなり、サッシのパネル体５を通した内周面が面一状となって、意匠性を良好にすることができる。
【００２１】
室内枠部材２１と室外枠部材２０を連結するブリッジ材２２は、枠体１の四周各辺の長手方向に沿ってそれぞれ見付方向内外に２本ずつが離隔して配設されており、それぞれの室内端部が室内枠部材２１に、室外端部が室外枠部材２０に、嵌入されて、両者を連結した状態としている。
【００２２】
室内枠部材２１と室外枠部材２０をブリッジ材２２で連結した枠体１は、パネル体２よりも室内側に、室内保持部１７と室内面部２４及びブリッジ材２２による連結部分を含む枠体１の内周面とで、四周に渡って凹部１４が形成される。この凹部１４には、樹脂ブロック材１３が取付けられる。
【００２３】
樹脂ブロック材１３は、樹脂製の断面中空状の部材からなり、枠体１の各辺において長手方向略全長に渡って設けられる。樹脂ブロック材１３のうち、室内側に露出する内周部１３ａは、平面状となるように形成されており、この内周部１３ａにより枠体の室内保持部１７と室内面部２４の見付方向内側端部間を渡している。これにより、枠体１の内周面は、額縁材３からパネル体２の室内面までが、略面一状となって、意匠性を良好にすることができる。
【００２４】
樹脂ブロック材１３は、室内外の側面にそれぞれ係合部１３ｂを有し、一方で凹部１４を構成する室外枠部材２０の室内保持部１７と室内枠部材２１の室内面部２４には、それぞれ突片１５が形成されており、両者が係合することにより、樹脂ブロック材１３が枠体１に対して固定される。
【００２５】
ブリッジ材２２は、前述のように枠体１の凹部１４内の位置に配置されるので、樹脂ブロック材１３を凹部１４に取付けることにより、室内側に露出しないようにすることができる。これにより、サッシの内観意匠性の更なる向上を図ることができる。
【００２６】
また、室内枠部材２１はブリッジ材２２を介して室外枠部材２０に連結されていることにより、室外側に露出する室外枠部材２０から断熱されているが、パネル体２を強固に固定するため、室外枠部材２０は室内保持部１７と室外保持部１６の両方を一体的に有すると共に、パネル体２の室内側まで伸びている。室外枠部材２０が室内側に直接露出すると、サッシの断熱性低下を招くこととなるが、樹脂ブロック材１３は、室外枠部材２０の室内露出面も被覆し、室外枠部材２０と室内枠部材２１の間を樹脂材で渡すように取付けられるので、サッシの断熱性低下を防ぐことができる。
【００２７】
以上、本発明の実施形態について説明したが、本発明の適用は本実施形態には限られず、その技術的思想の範囲内において様々に適用されうるものである。
【符号の説明】
【００２８】
１    枠体
２    パネル体
３    額縁材
１０    上枠
１１    下枠
１２    縦枠
１３    樹脂ブロック材
１３ａ  内周部
１４    凹部
１５    突片
１６    室外保持部
１７    室内保持部
２０    室外枠部材
２１    室内枠部材
２２    ブリッジ材
２３    固定面部
２４    室内面部
２５    アングル部
【図１】
0005621123.tif 000002
【図２】
0005621123.tif 000003